(57)【要約】【課題】冷房運転時、スタビライザの吸込口に対向する面に付着する水滴が吸込口から室内へ落下することを防ぐことができる空気調和機を提供する。【解決手段】空気調和機１００は、筐体１０７の下方に設けられた吸込口１０５と、吸込口１０５より上方に設けられた吹出口１０６と、筐体１０７の内部に設けられたクロスフローファン１０８と、吹出口１０６からクロスフローファン１０８へ延設されたスタビライザ１０９と、クロスフローファン１０８の上流側に設けられた熱交換器１１２と、熱交換器１１２の下方に設けられた水受皿１１３とを備え、スタビライザ１０９は、熱交換器１１２が設けられた側の面に複数の溝部１０９ｃを有し、筐体１０７の側面の少なくとも一方は、内面に溝部１０９ｃに連結された側面溝部１０２ｂを有し、側面溝部１０２ｂは溝部１０９ｃから水受皿１１３へと傾斜する。【選択図】図１
2017015270.tif 000002
【特許請求の範囲】
【請求項１】
筐体と、前記筐体の下方に設けられた吸込口と、前記吸込口より上方に設けられた吹出口と、前記筐体の内部に設けられたクロスフローファンと、前記吹出口から前記クロスフローファンへ延設されたスタビライザと、前記クロスフローファンの上流側に設けられた熱交換器と、前記熱交換器の下方に設けられた水受皿とを備え、
前記スタビライザは、前記熱交換器が設けられた側の面に複数の溝部を有し、
前記筐体の側面の少なくとも一方は、内面に前記溝部に連結された側面溝部を有し、
前記側面溝部は前記溝部から前記水受皿へと傾斜することを特徴とする空気調和機。
【請求項２】
前記溝部は、前記クロスフローファンの回転軸方向に対して傾斜することを特徴とする請求項１に記載の空気調和機。
【請求項３】
前記溝部は、下方に向かうにしたがって溝が深くなることを特徴とする請求項２に記載の空気調和機。
【請求項４】
前記溝部は、前記スタビライザの中心部を通る鉛直線を対称軸として対称に設けられることを特徴とする請求項１から３のいずれか１項に記載の空気調和機。
【請求項５】
前記溝部と前記側面溝部の少なくともいずれか一方は、親水処理されていることを特徴とする請求項１から４のいずれか１項に記載の空気調和機。
【発明の詳細な説明】
【技術分野】
【０００１】
本発明は、下面に吸込口を備えた空気調和機に関するものである。
【背景技術】
【０００２】
従来、吸込口と、吹出口を有する本体ケーシング内に通風させる送風回路を形成し、この送風回路内にクロスフローファンを備え、クロスフローファンの上流近傍に熱交換器を配し、クロスフローファンの回転によって吸込口から吸い込まれた空気を熱交換器に通して熱交換した後、吹出口より吹き出す室内ユニットを有する空気調和機がある。室内ユニットは、クロスフローファンの回転によって発生する空気の流れを形成するために、リアガイダと、スタビライザとを備える（例えば、特許文献１）。
【０００３】
特許文献１に開示された空気調和機１の室内ユニット２について、図４を用いて説明する。
【０００４】
室内ユニット２は、筐体３と、筐体３の下面に設けられた吸込口４と、筐体３の前面下方に設けられた吹出口５とを、備えている。室内ユニット２は、内部に、水平方向に回転軸をもつクロスフローファン６を備え、その風上側に熱交換器７を、風下側にスタビライザ８を備えている。
【０００５】
スタビライザ８は、吹出口５よりクロスフローファン６に向かって勾配を有して立ち上がり、その舌部８ａがクロスフローファン６に接近、対向している。また、クロスフローファン６の上方には吹出口５にかけてリアガイダ９が設けられ、スタビライザ８とリアガイダ９によって通風路を形成している。また、熱交換器７の下方には、熱交換器７からの結露水を受ける水受皿１０を備えている。
【０００６】
室内ユニット２では、吸込口４より流入した空気は水受皿１０の外周部を通って熱交換器７に吸い込まれ、熱交換されて吹出口５より吹き出される。冷房運転時、熱交換器７で生じた結露水は略Ｖ字形に傾斜配置した熱交換器７より水受皿１０に流れ落ちる。
【０００７】
このため、熱交換器７から滴下する結露水を水受皿１０で確実に受けつつ、吸い込み空気が水受皿１０の外周全域より容易に熱交換器７に吸い込まれ、吸い込み抵抗を減少させることができる。結果として、クロスフローファン６の流入域の風速分布を略均一にすることができる。
【０００８】
また、熱交換器７を略Ｖ字形にしてクロスフローファン６を囲うように配置し、下方に吸込口４を設けることにより、筐体３を薄型にでき、しかもコンパクトにすることができる。
【先行技術文献】
【特許文献】
【０００９】
【特許文献１】特開平１１−２６４５６８号公報
【発明の概要】
【発明が解決しようとする課題】
【００１０】
しかしながら、特許文献１に開示された空気調和機１では、スタビライザ８の吸込口４に対向する面には熱交換前の空気が流れる一方、スタビライザ８の吹出口５に対向する面には熱交換後の空気が流れる。そのため、冷房運転時、スタビライザ８の吸込口４に対向
する面は、吹出口５に対向する面に接する熱交換後の冷たい空気の影響により、温度が低下する。
【００１１】
それにより、熱交換前の空気に含まれる水分が結露し、スタビライザ８の吸込口４に対向する面に、水滴が付着する。スタビライザ８の吸込口４に対向する面の下方には、水受皿１０などの水を受ける構成が無いため、スタビライザ８の吸込口４に対向する面に付着した水滴は、吸込口４から室内に落下する虞がある。
【００１２】
この発明は、上記の問題点に鑑みてなされたものであって、スタビライザに付着した水滴を、水受皿に誘導することで、水滴が吸込口から室内へ落下することを防ぐことのできる空気調和機の提供を目的とする。
【課題を解決するための手段】
【００１３】
本発明の空気調和機は、筐体と、前記筐体の下方に設けられた吸込口と、前記吸込口より上方に設けられた吹出口と、前記筐体の内部に設けられたクロスフローファンと、前記吹出口から前記クロスフローファンへ延設されたスタビライザと、前記クロスフローファンの上流側に設けられた熱交換器と、前記熱交換器の下方に設けられた水受皿とを備え、前記スタビライザは、前記熱交換器が設けられた側の面に複数の溝部を有し、前記筐体の側面の少なくとも一方は、内面に前記溝部に連結された側面溝部を有し、前記側面溝部は前記溝部から前記水受皿へと傾斜するものである。
【発明の効果】
【００１４】
本発明に係る空気調和機は、スタビライザに付着した水滴が吸込口から室内へ落下することを防ぐことができる。
【図面の簡単な説明】
【００１５】
【図１】本発明の実施の形態１に係る空気調和機の断面図
【図２】本発明の実施の形態１に係る空気調和機のスタビライザの説明図
【図３】本発明の実施の形態１に係る空気調和機の溝部の説明図
【図４】従来の空気調和機の断面図
【発明を実施するための形態】
【００１６】
第１の発明は、筐体と、前記筐体の下方に設けられた吸込口と、前記吸込口より上方に設けられた吹出口と、前記筐体の内部に設けられたクロスフローファンと、前記吹出口から前記クロスフローファンへ延設されたスタビライザと、前記クロスフローファンの上流側に設けられた熱交換器と、前記熱交換器の下方に設けられた水受皿とを備え、前記スタビライザは、前記熱交換器が設けられた側の面に複数の溝部を有し、前記筐体の側面の少なくとも一方は、内面に前記溝部に連結された側面溝部を有し、前記側面溝部は前記溝部から前記水受皿へと傾斜するものである。
【００１７】
これにより、冷房運転時、スタビライザのうち、熱交換器が設けられた側の面に付着する水滴を、複数の溝部を介して一対の側面の少なくとも一方に誘導し、さらに側面溝部を介して水受皿に誘導することで、水滴が吸込口から室内へ落下することを防ぐことができる。
【００１８】
第２の発明は、特に、第１の発明において、前記溝部は、前記クロスフローファンの回転軸方向に対して傾斜するものである。
【００１９】
これにより、水滴は重力の作用を受け、溝部を伝ってより積極的に側面溝部へ移動し、水滴が側面溝部に到達する前に吸込口から室内へ落下することを防ぐことができる。
【００２０】
第３の発明は、特に、第２の発明において、前記溝部は、下方に向かうにしたがって溝が深くなるものである。
【００２１】
これにより、側面溝部に近い溝部の方が、その溝の峰部と底部との差が大きくなり、溝が保水できる水滴の量が増加する。このため、側面近くの溝部で、その場で付着する水滴と、流れてくる水滴とが合流しても、溝から水滴が溢れることがない。これによって、水滴が側面溝部に到達する前に吸込口から室内へ落下することを防ぐことができる。
【００２２】
第４の発明は、特に、第１から３のいずれか１つの発明において、前記溝部は、前記スタビライザの中心部を通る鉛直線を対称軸として対称に設けられるものである。
【００２３】
これにより、水滴はそれぞれの側面に略均等に誘導される。このため、いずれか一方の側面に水滴が偏り、保水できなくなることがない。これによって、水滴が吸込口から室内へ落下することを防ぐことができる。
【００２４】
第５の発明は、特に、第１から４のいずれか１つの発明において、前記溝部と前記側面溝部の少なくともいずれか一方は、親水処理されているものである。
【００２５】
これにより、溝部、または、側面溝部を移動する水滴がその表面から離脱することが減り、水受皿に到達する前に吸込口から室内へ落下することを防ぐことができる。
【００２６】
以下、本発明の実施形態について、図面を参照して詳細に説明する。なお、以下に説明する実施形態は一例であり、本発明は実施形態により限定されるものではない。
【００２７】
（実施の形態１）
図１は、本実施の形態に係る空気調和機の断面図である。なお、本実施の形態では、図１の右側を正面、左側を背面、奥行き方向を左右方向として説明する。図２は、本実施の形態に係る空気調和機のスタビライザ説明図である。図２のうち左側の図はスタビライザの断面図であり、右側の図はスタビライザの溝部にする部分の正面図である。また、図３は、本実施の形態に係る空気調和機の溝部の説明図である。図３のうち上側の図はスタビライザの溝部にする部分の正面図であり、下側の図は溝部の断面図である。
【００２８】
図１に示すように、空気調和機１００は、背面１０１と、背面１０１の左右両端から接続した一対の側面１０２と、背面１０１及び一対の側面１０２と接続する上面１０３と、背面１０１、一対の側面１０２及び上面１０３と接続する正面１０４と、正面１０４の下方に設けられた吸込口１０５と、正面１０４の吸込口１０５より上方に設けられた吹出口１０６とを有する筐体１０７を備える。
【００２９】
筐体１０７は、その内部に略水平方向に回転軸をもつクロスフローファン１０８と、スタビライザ１０９と、クロスフローファン１０８の上方にスタビライザ１０９に対向して設けられたリアガイダ１１１と、クロスフローファン１０８の上流側に配置した熱交換器１１２と、クロスフローファン１０８の下方でかつ熱交換器１１２の下方に配置した水受皿１１３とを備える。
【００３０】
スタビライザ１０９は、吹出口１０６の下端よりクロスフローファン１０８に向かって勾配を有して立ち上がり、その舌部１０９ａがクロスフローファン１０８に接近、対向している。スタビライザ１０９とリアガイダ１１１とそれらを接続した側面によって通風路１１０を形成している。水受皿１１３は、スタビライザ１０９より下方に設けられている。
【００３１】
スタビライザ１０９を詳細に説明する。スタビライザ１０９は略平板状であり、その短手方向（上下方向）の一端（上端）に、折り返すように構成された舌部１０９ａを備えている。スタビライザ１０９は、吸込口１０５に対向する面と、吹出口１０６に対向する面とを備えている。吸込口１０５に対向する面には、熱交換器１１２の一端が接している。
【００３２】
スタビライザ１０９の吸込口１０５に対向する面のうち、吸込口１０５と熱交換器１１２との間の空間に臨む面（以下、スタビライザ吸込側面１０９ｂと称する）には、複数の溝部１０９ｃが設けられている。溝部１０９ｃは、一対の側面１０２の内面の少なくとも一方に到達する。
【００３３】
また、側面１０２の内面のうち、吸込口１０５と熱交換器１１２との間の空間に臨む面（以下、側面吸込側面１０２ａと称する）には、溝部１０９ｃと連結する側面溝部１０２ｂが設けられている。側面溝部１０２ｂは、溝部１０９ｃから水受皿１１３に向かって傾斜して設けられている。
【００３４】
溝部１０９ｃを詳細に説明する。図２に示すように、溝部１０９ｃは、正面１０４の略中心を基点に、一対の側面１０２に向かって対称に、鉛直下方へ勾配を持つように設けられている。つまり、溝部１０９ｃは、スタビライザ１０９の長手方向（左右方向）の中心線を対象軸として、左右対称に設けられている。また、溝部１０９ｃは、スタビライザ１０９の中央部から長手方向の両端に向かって傾斜するように設けられている。
【００３５】
また、図３に示すように、溝部１０９ｃは、正面１０４の略中心を基点に一対の側面１０２へと向かうに連れ、溝土手１０９ｄが高くなっている。つまり、溝部１０９ｃと隣接ずる溝部１０９ｃとの間には、スタビライザ１０９の表面（スタビライザ吸込側面１０９ｂ）から突出する溝土手１０９ｄが設けられている。そして、溝土手１０９ｄは、スタビライザ１０９の中央部から長手方向の両端に向かってその高さが、高くなるように設けられている。
【００３６】
または、溝部１０９ｃは、スタビライザ１０９の中央部から長手方向の両端に向かってその深さが、深くなるように設けられている。
【００３７】
溝部１０９ｃと側面溝部１０２ｂの表面は親水処理されている。なお、溝部１０９ｃ以外のスタビライザ吸込側面１０９ｂは、撥水処理されていることが望ましい。また、側面溝部１０２ｂ以外の側面吸込側面１０２ａは、撥水処理されていることが望ましい。
【００３８】
以上のように構成された空気調和機について、冷房運転時を例として、その動作、作用について説明する。
【００３９】
クロスフローファン１０８がモータ（図示せず）によって回転駆動すると、室内の空気は、吸込口１０５から吸い込まれ、水受皿１１３の外周部を通って熱交換器１１２を通過する。そして、空気は、熱交換器１１２で熱交換されたのち、通風路１１０を介して吹出口１０６より、冷風として吹き出される。
【００４０】
熱交換器１１２で生じた結露水は傾斜した熱交換器１１２を伝って、水受皿１１３に流れ落ちる。
【００４１】
スタビライザ１０９の吸込口１０５に対向する面には熱交換前の空気が流れる一方、スタビライザ１０９の吹出口１０６に対向する面には熱交換後の空気が流れる。そのため、スタビライザ吸込側面１０９ｂは、吹出口１０６に対向する面に接する熱交換後の冷たい
空気の影響により、温度が低下する。それにより、熱交換前の空気に含まれる水分が結露し、スタビライザ吸込側面１０９ｂに水滴が付着する。
【００４２】
スタビライザ吸込側面１０９ｂに付着する水滴は、複数の溝部１０９ｃの凹部に保水され、さらに溝部１０９ｃを介して一対の側面１０２の内面に誘導される。続いて、水滴は側面１０２に設けられた側面溝部１０２ｂを介して、水受皿１１３に誘導される。このことにより、水滴が吸込口１０５から室内へ落下することを防ぐことができる。
【００４３】
さらに、溝部１０９ｃは、正面１０４の略中心を基点に、一対の側面１０２に向かって対称に、鉛直下方へ勾配を持つように設けられていることから、水滴は重力作用を受けて、より積極的に溝部１０９ｃを介して一対の側面１０２に誘導される。ここで、吹出口１０６が熱交換器１１２よりも上方に位置している場合は、鉛直下方となる熱交換器１１２側へと勾配を持つことになる。
【００４４】
加えて、溝部１０９ｃは、正面１０４の略中心を基点に一対の側面１０２へと向かうに連れ、溝土手１０９ｄが高くなっていることから、溝部１０９ｃは正面１０４の略中心よりも側面１０２近くの方が、その峰部と底部との差が大きくなり保水可能な量が増す。これにより、側面１０２の内面近くの溝部１０９ｃで、そこに付着する水滴と略中心から移動してきた水滴とが合流しても、溝部１０９ｃで安定して保水することが可能となる。このため、水滴が側面溝部１０２ｂに到達する前に吸込口１０５から室内へ落下することを防ぐことができる。
【００４５】
また、空気調和機１００において、溝部１０９ｃ及び側面溝部１０２ｂは親水処理された表面を有している。このことにより、溝部１０９ｃ、および側面溝部１０２ｂを移動する水滴がその表面から離脱することが減り、水受皿１１３に到達する前に吸込口１０５から室内へ落下することを防ぐことができる。
【００４６】
なお、溝部１０９ｃ及び側面溝部１０２ｂの溝幅の最大値を略５．０ｍｍ未満とすることで、結露水の表面張力の効果によって効果的に保水され、水受皿１１３まで達する前に吸込口１０５から室内へ落下することを防ぐことができる。また、溝部１０９ｃ及び側面溝部１０２ｂの溝深さは略１．０ｍｍ以上にすることで、結露水の表面張力の効果によって、さらに水滴が室内へ落下することを防ぐことができる。
【００４７】
なお、本実施の形態では、溝部１０９ｃは、スタビライザ１０９の中心部を通る鉛直線を対称軸として対称に設けられるものとしたが、スタビライザ１０９の長手方向の一端から他端にかけて傾斜するように設けてもよい。この場合には、溝部１０９ｃが下がる方向の側面１０２のみに、側面溝部１０２ｂを設ければよい。
【００４８】
また、本実施の形態では、溝部１０９ｃ及び側面溝部１０２ｂの断面形状は略半円であるとしたが、略楕円、三角形、の断面形状でも同様の効果を得ることができる。
【産業上の利用可能性】
【００４９】
本発明に係る空気調和機は、冷房時に結露水が室内に落下することを防ぐことができることから、家庭用空調や業務用空調に用いるのに好適である。
【符号の説明】
【００５０】
１００  空気調和機
１０１  背面
１０２  側面
１０２ａ  側面吸込側面
１０２ｂ  側面溝部
１０３  上面
１０４  正面
１０５  吸込口
１０６  吹出口
１０７  筐体
１０８  クロスフローファン
１０９  スタビライザ
１０９ａ  舌部
１０９ｂ  スタビライザ吸込側面
１０９ｃ  溝部
１０９ｄ  溝土手
１１０  通風路
１１１  リアガイダ
１１２  熱交換器
１１３  水受皿
【図１】
2017015270.tif 000003
【図２】
2017015270.tif 000004
【図３】
2017015270.tif 000005
【図４】
2017015270.tif 000006